(57)【要約】【課題】簡単な構造で、複雑な手間もかけることなく、それでいて装飾性に優れ且つ高級感も演出できる、眼鏡ケースを提供する。【解決手段】眼鏡ケース１０は、眼鏡が収納される収納部１２および収納部１２をカバーする蓋部１４を含む。蓋部１４は、ヒンジ部１６により、収納部１２に開閉自在に配設される。収納部１２および蓋部１４は、それぞれ、外装部材２０を備える。外装部材２０は、たとえば硬質樹脂からなる外装本体２２を含む。外装本体２２の表面には、金メッキおよび銀メッキが施されることによって、メッキ層からなる鏡面状部２４が形成される。さらに、鏡面状部２４には、例えば合成樹脂からなるメッシュ状の被覆部材２６が被覆される。【選択図】      図１
2004202125.tif 000002
【特許請求の範囲】
【請求項１】
その表面にメッシュ状の被覆部材が被覆されることを特徴とする、眼鏡ケース。
【請求項２】
その表面に鏡面状部を有し、前記鏡面状部にメッシュ状の被覆部材が被覆されることを特徴とする、眼鏡ケース。
【請求項３】
眼鏡が収納される収納部、および、前記収納部を開閉自在にカバーする蓋部を含み、
前記収納部および／または前記蓋部の表面には、鏡面状部が形成され、前記鏡面状部には、メッシュ状の被覆部材が被覆されることを特徴とする、眼鏡ケース。
【請求項４】
眼鏡が収納される収納部、および、前記収納部を開閉自在にカバーする蓋部を含み、
前記収納部および前記蓋部は、それぞれ、外装部材を備え、
前記外装部材は、外装本体、
前記外装本体の表面に形成される鏡面状部、および
前記鏡面状部に被覆されるメッシュ状の被覆部材を含むことを特徴とする、眼鏡ケース。
【請求項５】
前記被覆部材に他の被覆部材がさらに被覆され、前記他の被覆部材は、平面的に見て、前記被覆部材に交差するように被覆されることを特徴とする、請求項１〜請求項４のいずれかに記載の眼鏡ケース。
【請求項６】
前記他の被覆部材は、平面的に見て、前記被覆部材に所定の角度で交差するように被覆されることを特徴とする、請求項５に記載の眼鏡ケース。
【請求項７】
前記他の被覆部材は、平面的に見て、前記被覆部材と所定の幅で平行にずらした位置で重ね合わせられることを特徴とする、請求項５に記載の眼鏡ケース。
【請求項８】
前記被覆部材と前記他の被覆部材とは、線の太さが異なることを特徴とする、請求項５〜請求項７のいずれかに記載の眼鏡ケース。
【請求項９】
前記鏡面状部は、金メッキおよび銀メッキ等のメッキ層で形成され、前記被覆部材は、合成樹脂で形成されることを特徴とする、請求項１〜請求項８のいずれかに記載の眼鏡ケース。
【発明の詳細な説明】
【０００１】
【発明の属する技術分野】
本願発明は、眼鏡ケースに関する。
【０００２】
【従来の技術】
【特許文献１】
実用新案登録第３００１２２６号公報（第５−７頁、図１、図２）
【０００３】
本願発明の背景となる従来の眼鏡ケースには、合成樹脂の成形による収容部と蓋体に外装シートを貼付けてなる眼鏡ケースがある。（例えば、特許文献１参照。）外装シートは、表面を実物の牛皮や他の動物の皮革に模した軟質合成樹脂製の合成皮革板ないし実物の牛皮や他の動物の皮革板などにより形成される。また、収容部と蓋体との周縁には、玉縁に模した飾り縁が一段高く設けられる。飾り縁の表面には、皮革素材の表面に似せた表皮模様と、ミシンによる縫目模様とが形成される。この眼鏡ケースでは、あたかも外装シートの周縁に玉縁が形成された如きに見せかけることができ、本皮製のような高級感のある外観に仕上げることができる。
【０００４】
【発明が解決しようとする課題】
しかしながら、このような従来技術における構造では、本皮製のような高級感のある外観に仕上げるために、収容体と蓋体の外面を実物の皮革に模した合成皮革板等の軟質合成樹脂シート、あるいは、実物の牛皮や他の動物の皮革板で形成された外装シートを貼付し、さらに、収容部と蓋体との周縁には、玉縁に模した飾り縁を設け、しかも、飾り縁の表面には、皮革素材の表面に似せた表皮模様と、ミシンによる縫目模様とを形成するなど、製作に複雑な手間をかけるものであった。
【０００５】
それゆえに、本願発明の主たる目的は、簡単な構造で、複雑な手間もかけることなく、それでいて装飾性に優れ且つ高級感も演出できる、眼鏡ケースを提供することである。
【０００６】
【課題を解決するための手段】
請求項１にかかる本願発明は、その表面にメッシュ状の被覆部材が被覆されることを特徴とする、眼鏡ケースである。
請求項２にかかる本願発明は、その表面に鏡面状部を有し、鏡面状部にメッシュ状の被覆部材が被覆されることを特徴とする、眼鏡ケースである。
請求項３にかかる本願発明は、眼鏡が収納される収納部と、収納部を開閉自在にカバーする蓋部とを含み、収納部および／または蓋部の表面には、鏡面状部が形成され、鏡面状部には、メッシュ状の被覆部材が被覆されることを特徴とする、眼鏡ケースである。
請求項４にかかる本願発明は、眼鏡が収納される収納部と、収納部を開閉自在にカバーする蓋部とを含み、収納部および蓋部は、それぞれ、外装部材を備え、外装部材は、外装本体と、外装本体の表面に形成される鏡面状部と、鏡面状部に被覆されるメッシュ状の被覆部材とを含むことを特徴とする、眼鏡ケースである。
請求項５にかかる本願発明は、請求項１〜請求項４のいずれかに記載の発明に従属されるものであって、被覆部材に他の被覆部材がさらに被覆され、他の被覆部材は、平面的に見て、被覆部材に交差するように被覆されることを特徴とする、眼鏡ケースである。
請求項６にかかる本願発明は、請求項５に記載の発明に従属されるものであって、他の被覆部材は、平面的に見て、被覆部材に所定の角度で交差するように被覆されることを特徴とする、眼鏡ケースである。
請求項７にかかる本願発明は、請求項５に記載の発明に従属されるものであって、他の被覆部材は、平面的に見て、被覆部材と所定の幅で平行にずらした位置で重ね合わせられることを特徴とする、眼鏡ケースである。
請求項８にかかる本願発明は、請求項５〜請求項７のいずれかに記載の発明に従属されるものであって、被覆部材と他の被覆部材とは、線の太さが異なることを特徴とする、眼鏡ケースである。
請求項９にかかる本願発明は、請求項１〜請求項８のいずれかに記載の発明に従属されるものであって、鏡面状部は、金メッキおよび銀メッキ等のメッキ層で形成され、被覆部材は、合成樹脂で形成されることを特徴とする、眼鏡ケースである。
［作用］
請求項１にかかる本願発明の眼鏡ケースでは、その表面にメッシュ状の被覆部材が被覆されるので、眼鏡ケースの表面は、被覆部材の網の目状に隠蔽される部分と、該被覆部材の網の目を介して眼鏡ケースの表面が露出する部分とが形成される。この場合、眼鏡ケースの表面には、被覆部材の網の目により、格子縞状の凹凸立体模様が形成される。また、被覆部材は、眼鏡ケース表面で凸部を構成するので、該眼鏡ケース表面に例えば手の指紋や汚れが付くことを防止する。
請求項２および請求項３にかかる本願発明の眼鏡ケースでは、請求項１にかかる眼鏡ケースと比べて、特に、その表面に鏡面状部を含むので、該表面に光を反射する反射面を有することとなる。さらに、鏡面状部は、被覆部材により隠蔽される隠蔽部分と、多数の網の目状に露出する露出部分とによって、陰影が表出され、鏡面状部の反射態様に微妙なトーンの変化が付与される。
請求項４にかかる本願発明の眼鏡ケースでは、請求項１〜請求項３にかかる眼鏡ケースと比べて、特に、外装本体の表面に鏡面状部が形成されるので、外装部材表面には、光沢を有する比較的高輝度の反射面が形成される。この場合、被覆部材の網の目で陰影が表出され、鏡面状部の反射態様に微妙な色調や濃度等のトーン（調子）の変化が付与される。
請求項５〜請求項８にかかる本願発明の眼鏡ケースでは、請求項１〜請求項４にかかる眼鏡ケースと比べて、特に、平面的に見て、被覆部材に他の被覆部材が交差するように被覆されるので、被覆部材の網の目状の露出部が部分的に他の被覆部材で隠蔽される。このとき、隠蔽される度合いに応じて、特に、光が反射される方向から見た場合、鏡面状部および被覆部材，他の被覆部材によって、眼鏡ケース表面に網の目状模様のトーン差があらわれ、該表面の装飾的意匠効果が演出される。
請求項９にかかる本願発明の眼鏡ケースでは、請求項１〜請求項８にかかる眼鏡ケースと比べて、特に、鏡面状部がメッキ層で形成され、且つ、被覆部材が合成樹脂で形成されるので、材質からくる質感も加わり、より一層、装飾的意匠効果が演出される。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１（Ａ）は、本願発明の一実施例を示す斜視図解図であり、図１（Ｂ）は、その中央横断面図解図である。図２は、図１の実施例の平面図解図である。
本実施例にかかる眼鏡ケース１０は、適宜眼鏡（図示せず）が収納される収納部１２と、収納部１２を開閉自在にカバーする蓋部１４とを含む。収納部１２と蓋部１４とは、ヒンジ部１６により開閉自在に形成される。収納部１２および蓋部１４は、それぞれ、内装部材１８および外装部材２０を有する。
【０００９】
外装部材２０は、たとえば硬質樹脂からなる外装本体２２を含む。外装本体２２は、収納部１２を構成する収納部分１２Ａと蓋部１４を構成する蓋部分１４Ａとを有し、収納部分１２Ａおよび蓋部分１２Ｂは、ヒンジ部１６により回動自在に連結される。ヒンジ部１６は、一対のヒンジプレート１６ａ，１６ｂおよび一対のヒンジプレート１６ａ，１６ｂ間に配設されるヒンジピン１６ｃを含むヒンジ部１６を有する。一方のヒンジプレート１６ａは、収納部分１２Ａに固着され、他方のヒンジプレート１６ｂは、蓋部分１４Ａに固着される。それによって、収納部１２と蓋部１４とは、ヒンジ部１６により開閉自在に形成される。なお、外装本体２２は、硬質樹脂以外の合成樹脂材料で形成されてもよく、それ以外にも金属材料や木質材料等で形成されてもよい。
【００１０】
内装部材１８は、収納部分１２Ａおよび蓋部分１４Ａの内側に配置され、たとえば合成樹脂シートの一方主面にフェルト等を積層した柔軟で、ある程度クッション性を有する素材で一体的に形成される。そして、内装部材１８は、収納部分１２Ａおよび蓋部分１４Ａの内側面に固着される。
【００１１】
外装本体２２の表面には、鏡面状部２４が配設される。本実施例では、外装本体２２の表面に、たとえば銀メッキおよび金メッキが施されることによって、外装本体２２の表面にメッキ層が形成される。このメッキ層により、外装本体２２の表面が鏡面状に仕上げられる。外装部材２０は、外装本体２２の表面に鏡面状部２４を有することによって、光沢を有する比較的高輝度の反射面に形成される。なお、鏡面状部２４は、メッキ等の方法以外にも、バフ盤等の研削手段によって艶出し仕上げを行なうことによって形成されてもよい。
【００１２】
さらに、本実施例では、外装本体２２の鏡面状部２４の表面全面に、たとえば合成樹脂からなるメッシュ状（網の目状）の被覆部材２６が被覆・配設される。被覆部材２６は、特に、たとえば図２に示すように、縦縞条２６ａおよび横縞条２６ｂを有し、それらが略直角に交差して形成される。この場合、外装部材２０の表面には、被覆部材２６の縦縞条２６ａおよび横縞条２６ｂ間の多数の四角形状の孔（網の目）２８を通して、鏡面状部２４が多数の網の目状に露出される。
なお、この被覆部材２６は、たとえば図１（Ａ）に示すように、収納部１２および蓋部１４の内側周縁部に折り込まれ、さらに、内装部材１８と外装部材２０との間に挟み込まれる。そして、被覆部材２６の折り込み部分は、収納部１２および蓋部１４の外装本体２２側に固着される。
【００１３】
図１および図２に示す実施例の眼鏡ケース１０では、収納部１２，蓋部１４の外装部材２０の表面が鏡面状部２４により、光沢を有する比較的高輝度の反射面に形成され、且つ、鏡面状部２４は被覆部材２６により、多数の網の目状に露出される。この場合、眼鏡ケース１０は、それを見る方向によって、つまり、観察する視線の方向によって、縦縞条２６ａおよび横縞条２６間の孔２８で陰影が表出され、鏡面状部２４の反射態様に微妙な色調や濃度等トーンの変化が付与される。さらに、外装部材２０の表面には、被覆部材２６により多数の凹凸が形成されるため、多数の凹凸による格子縞状が立体感をもって浮き出される。
そのため、図１および図２に示す実施例の眼鏡ケース１０は、装飾性に優れ且つ高級感が創出されたものとなる。なお、被覆部材２６は、鏡面状部２４を保護する保護機能を有し、本実施例の眼鏡ケース１０を手で掴んでも、被覆部材２６が凸部となっているために、鏡面状部２４に手の指紋や汚れが付くことを防止できる。
【００１４】
図３は、本願発明の他の実施例の要部を拡大した平面図解図であり、図４は、本願発明のさらに他の実施例の要部を拡大した平面図解図である。図３および図４に示す実施例は、上述した実施例と比べて、特に、被覆部材２６の上から該被覆部材２６全面にさらに他の被覆部材３０が被覆・配置されている点で相違する。他の被覆部材３０は、被覆部材２６と同じ構造を有するもので、図３（Ａ），図３（Ｂ），図４（Ａ）に示す実施例では、平面的に見て、被覆部材２６と被覆部材３０とが所定の交差角度で交差するように、被覆部材２６の上に被覆部材３０が重ね合わせられる。
【００１５】
この場合、図３（Ａ）の実施例では、たとえば１５度の交差角度で、図３（Ｂ）の実施例では、たとえば３０度の交差角度で、図４（Ａ）の実施例では、たとえば４５度の交差角度で、それぞれ、被覆部材２６の上から被覆部材３０が重ね合わせられる。また、図４（Ｂ）の実施例では、被覆部材２６と被覆部材３０とが所定の幅で平行にずらした位置で重ね合わせられる。言いかえると、被覆部材２６と被覆部材３０とがほぼ９０度の交差角度で、且つ、所定の幅で平行にずらした状態で重ね合わされている。
【００１６】
図３（Ａ），図３（Ｂ），図４（Ａ），図４（Ｂ）に示す実施例では、それぞれ、被覆部材２６の上に被覆部材３０が適宜所定の交差角度で交差するよう重ね合わされるため、被覆部材２６の縦縞条２６ａ，横縞条２６ｂ間の多数の孔２８で構成される網の目状の露出部が、部分的に被覆部材３０の縦縞条および横縞条で隠蔽される。このときの露出部が隠蔽される度合いに応じて、特に、光が反射される方向からみた場合、鏡面状部２４と被覆部材３０の縦縞条および横縞条との二面性によって、網の目状模様のトーン差が表出し、被覆部材２６だけが被覆された場合に比べて、より一層、装飾的意匠効果が強調される。
【００１７】
図５は、本願発明のさらに他の実施例の要部を拡大した平面図解図であり、図６は、本願発明のさらに他の実施例の要部を拡大した平面図解図である。図５および図６に示す実施例は、図３および図４に示す実施例と比べて、特に、被覆部材２６の縦縞条２６ａ，横縞条２６と、被覆部材３０の縦縞条，横縞条とは、その線の太さが相違する。この場合、被覆部材３０の縦縞条，横縞条の太さは、被覆部材２６の縦縞条２６ａ，横縞条２６の太さよりも細く形成される。なお、図５（Ａ），図５（Ｂ），図６（Ａ），図６（Ｂ）に示す実施例の被覆部材２６と被覆部材３０の重ね合わせの配置は、それぞれ、図３（Ａ），図３（Ｂ），図４（Ａ），図４（Ｂ）に示す実施例と同様の配置構成である。
【００１８】
図５および図６に示す実施例では、特に、被覆部材３０の縦縞条，横縞条の太さが、被覆部材２６の縦縞条２６ａ，横縞条２６の太さよりも細く形成されるため、図３および図４の実施例の場合と比べて、被覆部材３０の縦縞条および横縞条により、被覆部材２６の網の目状の露出部が部分的に隠蔽される隠蔽面積が少なくなる。そのため、図５および図６に示す実施例では、鏡面状部２４の露出部分が比較的多くなり、反射態様が上述の各実施例とは違ったものになる。そのため、色調や濃度変化および網の目状模様のトーン差がより明確にあらわれる。したがって、図５および図６に示す実施例では、より一層装飾性に優れ、さらに重厚な高級感が創出されたものとなる。
【００１９】
なお、図１，図２，図３，図４，図５の実施例では、被覆部材が収納部１２および蓋部１４の外装部材２０に配設されたが、被覆部材は、蓋部１４の側の外装部材２０表面にだけ配設されていてもよい。また、上述の各実施例では、被覆部材２６，３０が収納部１２および蓋部１４の外装部材２０の鏡面状部２４全面に配設されたが、鏡面状部２４を外装本体２２に部分的に配設し、該当する鏡面状部２４の上面および／または該鏡面状部２４以外の部分の上面に被覆部材２６，３０を配設するようにしてもよい。
さらに、図３，図４，図５および図６の各実施例では、被覆部材２６の上から該被覆部材２６の全面に他の被覆部材３０が重ね合わされたが、他の被覆部材３０は、被覆部材２６の上から部分的に重ね合わされてもよい。また、被覆部材２６の上に、複数の他の被覆部材を積層配置するようにしてもよい。
さらに、これらの被覆部材２６，３０およびその他の被覆部材（図示せず）には、その全ての被覆部材あるいはその内のいずれかの被覆部材に、適宜、着色が施されてもよい。
【００２０】
【発明の効果】
本願発明によれば、簡単な構造で、複雑な手間もかけることなく、それでいて装飾性に優れ且つ高級感も演出できる、眼鏡ケースが得られる。
【図面の簡単な説明】
【図１】図１（Ａ）は、本願発明の一実施例を示す斜視図解図であり、図１（Ｂ）は、その中央横断面図解図である。
【図２】図１の実施例の平面図解図である。
【図３】本願発明の他の実施例の要部を拡大した平面図解図である。
【図４】本願発明のさらに他の実施例の要部を拡大した平面図解図である。
【図５】本願発明のさらに他の実施例の要部を拡大した平面図解図である。
【図６】本願発明のさらに他の実施例の要部を拡大した平面図解図である。
【符号の説明】
１０  眼鏡ケース
１２  収納部
１４  蓋部
１６  ヒンジ部
１８  内装部材
２０  外装部材
２２  外装本体
２４  鏡面状部
２６  被覆部材
２６ａ  縦縞条
２６ｂ  横縞条
２８  孔
３０  他の被覆部材
【図１】
2004202125.tif 000003
【図２】
2004202125.tif 000004
【図３】
2004202125.tif 000005
【図４】
2004202125.tif 000006
【図５】
2004202125.tif 000007
【図６】
2004202125.tif 000008